(57)【特許請求の範囲】
【請求項１】
操作部を備えた第一筐体と表示部を備えた第二筐体を、連結部を介して連結した折り畳み式携帯端末装置において、
前記連結部は、前記第一筐体に対して前記第二筐体を第一方向に回動可能とする第一回動軸と、前記第一筐体に対して前記第二筐体を第一方向と直交する第二方向に回動可能とする第二回動軸と、を備え、
前記第一回動軸は突起部を備え、
前記第一筐体は、スライドシートと、カムフォロア部材と、該カムフォロア部材を付勢する第一弾性部材と、スライドシートと前記カムフォロア部材とを接続する第二弾性部材と、を備え、
前記第一回動軸が回動すると、前記突起部が前記カムフォロア部材を押圧し、該カムフォロア部材に前記第二弾性部材を介して連結された前記スライドシートが移動することを特徴とする折り畳み式携帯端末装置。
【請求項２】
前記カムフォロア部材および前記第二弾性部材を一体に形成したことを特徴とする請求項１に記載の折り畳み式携帯端末装置。
【請求項３】
前記第一筐体は、キートップシートと、スライドシートを囲う枠部と、をさらに備え、
前記キートップシートは、前記枠部に固着されることを特徴とする請求項１に記載の折り畳み式携帯端末装置。
【請求項４】
前記第一弾性部材は、前記カムフォロア部材を前記第一筐体の長手方向において前記連結部の側の方向へ付勢することを特徴とする請求項１に記載の折り畳み式携帯端末装置。
【請求項５】
前記第一筐体の内側に固定されたストッパを備え、
前記第一弾性部材がカムフォロアを押圧した際に、前記スライドシートは移動方向において前記ストッパに当接することを特徴とする請求項１に記載の折り畳み式携帯端末装置。
【請求項６】
前記スライドシートは、第１の方向に第１文字群が印字されるとともに第１の方向と直交する第２の方向に第２文字群が印字され、
前記第一筐体は、前記スライドシートの印字面側に前記キートップシートを備え、
前記キートップシートは、前記スライドシートがスライドした際に、前記第１文字群と前記第２文字群のいずれか一方が、外部から視認可能な透明の表示窓を備え、
前記第一筐体に対して前記第二筐体が第１の方向に開いた状態では前記第１文字群が前記表示窓と重なり、前記第一筐体に対して前記第二筐体が第２の方向に開いた状態では前記第２文字群が前記表示窓と重なるように構成した請求項１に記載の折り畳み式携帯端末装置。
【請求項７】
前記第１文字群と前記第２文字群は、互い違いに印字されていることを特徴とした請求項６に記載の折り畳み式携帯端末装置。
【請求項８】
無線通信手段とテレビ放送受信手段を更に備え、
前記スライドシートには、無線通信用の文字とテレビ受信用の文字を記載し、
前記第一筐体に対して前記連結部を前記第二筐体とともに長手方向に開いたときは、前記無線通信用の文字を表示し、
前記第一筐体に対して前記第二筐体を短手方向に開いたときは、前記テレビ受信用の文字を選択的に表示するように構成した請求項６または請求項７に記載の折り畳み式携帯端末装置。
【請求項９】
操作部を備えた第一筐体と、
表示部を備えた第二筐体と、
前記第一筐体に対して前記第二筐体を第一方向に回動可能とする第一回動軸と、
前記第一筐体に対して前記第二筐体を第一方向と直交する第二方向に回動可能とする第二回動軸と、
前記第一回動軸に設けられ、前記第一回動軸の回動に連動して回転する突起部と、
前記第一筐体内に設けられ、前記第一方向を上下とする第１印字と前記第二方向を上下とする第２印字とが印刷されたスライドシートと、
前記突起部に追従して動くカムフォロア部材と、
前記カムフォロア部材を付勢する第一弾性部材と、
前記スライドシートと前記カムフォロア部材とを接続する第二弾性部材と、
を備えた折り畳み式携帯端末装置。
【発明の詳細な説明】
【技術分野】
【０００１】
本発明は、２つの筐体を第１の方向と第２の方向にそれぞれ開閉可能に連結した折り畳み式携帯端末装置に関する。
【背景技術】
【０００２】
２つの筐体が重なりあうように連結した折り畳み式携帯電話機では、ユーザーは、折り畳み式携帯電話機を連結部を中心として開いた状態にすることで  テンキーなどの操作部を備えた第一筐体を手に持ち、表示部を備えた第二筐体を見るという使い方が一般的である。
【０００３】
ところが最近、テレビジョン放送を受信して表示する携帯電話機が実用化され、普及し始めている。そのため、横長のテレビジョン放送画面を見るには、表示部を第２の方向に回転させたほうが見やすいことが知られている。そのため、表示部を備えた第二筐体を該筐体の端部に備えられた回動軸まわりで  第２の方向に機械的に回転させるとともに、表示部の方向を第１の方向から第２の方向に切り替える構造が提案されている（例えば、特許文献１参照）。
【０００４】
従来から提案されている折り畳み式携帯電話機の一例を図１８と図１９に示す。図１８の携帯電話機６０は、操作部７１を有する第一筐体６１と、表示部７２を有する第二筐体６２と、連結部６３の３つの筐体で構成されている。そして、第一筐体６１に設けた第一回動軸６１ａに連結部６３を矢印Ａ方向に回動自在に支持している。
【０００５】
連結部６３を矢印Ａ方向に回動することにより、第一筐体６１に対して第二筐体６２を第１の方向に開くことができる。そして、連結部６３には第二回動軸６３ａが設けてあり、第二筐体６２を回動自在に支持している。このため、携帯電話機６０は、最終的に図１９に示すように第二筐体６２の表示部７２を第２の方向に開いた形で使用することができる。
【０００６】
このような場合に、第二筐体６２を第２の方向に開き、表示部７２を横長にしたときに、テンキーなどの操作部７１の配列と向きがテレビ放送を見るための配列と向きに変わると便利である。
【０００７】
そのための方法として、操作部を液晶表示付きのタッチパネルにして、表示部７２の向きが変わった都度、液晶表示のキー配列と向きを変えることが考えられるのであるが、テレビ放送を見ている間、ずっと液晶表示とバックライトをつけておくわけにもいかない。
【０００８】
液晶表示を一度消して、その後、必要によりタッチパネルをタッチして再び液晶表示をさせてからチャンネル選択をすることになる。また、電源が入っていない状態で、筐体の開閉を行なうと、最適な文字入力方向で表示しないことが考えられる（例えば、特許文献２参照）。
【０００９】
なお、他の従来例として、キートップと、各キーのキー機能表示を外部から確認可能に表示したキー機能表示部を備えた電子機器のキー構造において、キー機能表示部は、キートップとの相対位置が変更可能であり、外部から確認可能なキー機能表示が、相対位置の変更に従って切り替わることを特徴とする電子機器のキー構造が知られている（例えば、特許文献３参照）。
【００１０】
図２０に上記従来の電子機器の正面概略図を示し、図２１は図２０のＣ−Ｃで断面にしたキートップ９１とキー機能表示板８４の部分断面を示す。図２１において、キーボード９０は下筐体８１の上を左右にスライドする。
【００１１】
キーボード９０の左右の動きは、キーボード９０の右端に設けた導電体９３がスライドしたときに、下筐体８１の２つの端子８３に導通することにより検出する。キーボード９０が一方にセットされたときは英字入力を、キーボード９０が他方にセットされたときは平仮名入力をそれぞれ行なうことができる。
【００１２】
図２０に示すように、キーボード９０のキー９１ａは中央部に透明部９１ｂを備える。さらに図２１に示すように、キー９１ａの下面は、キー機能表示板８４の上面８４ａとスライド可能に面接触している。
【００１３】
キー機能表示板８４の下端は電子機器８０本体の下筐体８１に垂直に固定され、途中で段階的に折れ曲がることで、文字を印刷した上面８４ａでは水平になっている。ここで、上面８４ａは、平仮名表示と英字表示とを一定幅離して左右に並んで有する。一定幅はキーボード９０のスライドストロークに等しい。
【００１４】
また、透明部９１ｂの大きさは、キー機能表示板８４の文字表示よりやや大きい程度であり、二つの文字が透明部９１ｂから透けて見えることはない。キーボード９０を図２０でいう右あるいは左に寄せると、透明部９１ｂから透けて見える表示内容が平仮名表示か英字表示かに切り替わる。
【００１５】
上記のキー構造であれば、電子機器８０本体の電源が入っていなくても、キー機能表示板の表示内容を切り替えることができる。
【特許文献１】特開２００６−２２８９９号公報
【特許文献２】特開２００１−２９６９５８号公報
【特許文献３】特開２００２−７０３４号公報
【発明の開示】
【発明が解決しようとする課題】
【００１６】
本発明は、携帯電話機、ゲーム機やテレビ受信機能をもったＰＤＡ（Ｐｅｒｓｏｎａｌ  Ｄｉｇｉｔａｌ  Ａｓｓｉｓｔａｎｔｓ）など、２つの回動軸を備え第１の方向と第２の方向に開閉可能に連結した連結部を備えた折り畳み式携帯端末装置で、第二筐体を折り畳んだ状態から連結部の回動軸を回動させて開く際に、テンキーなどの操作部に印字された文字を、液晶などの表示器の向きに合わせて変更することを第一の課題としている。
【００１７】
また、電源が入っていなくても、テンキーなどの操作部に印字された文字を、液晶などの表示器の向きに合わせて切り替えることができる使い勝手の良い携帯端末装置を実現することを第二の課題としている。
【００１８】
また、文字を表示器の向きにあわせて変更することを  使用者が意図的に操作を行わなくても第一筐体に対して第二筐体を開閉させることにより実現できることを第三の課題としている。
【００１９】
さらに、文字を表示器の向きにあわせて変更する構成において、手でおさえた場合など外力によりキーが固定されたままの状態で第二筐体を開閉した場合であっても駆動機構が破損しない携帯端末装置を実現することを第四の課題としている。
【課題を解決するための手段】
【００２０】
本発明は、操作部を備えた第一筐体と表示部を備えた第二筐体を、連結部を介して連結した折り畳み式携帯端末装置において、連結部は、第一筐体に対して第二筐体を第一方向に回動可能とする第一回動軸と、第一筐体に対して第二筐体を第一方向と直交する第二方向に回動可能とする第二回動軸と、を備え、第一回動軸は突起部を備え、第一筐体は、スライドシートと、カムフォロア部材と、カムフォロア部材を付勢する第一弾性部材と、スライドシートとカムフォロア部材とを接続する第二弾性部材と、を備え、第一回動軸が回動すると、突起は、カムフォロア部材を押圧し、カムフォロア部材に第二弾性部材を介して連結されたスライドシートが移動するように構成している。
【００２１】
この構成により、スライドシートの移動を第二筐体の回動に連動させることができる。また、外力によりキーが固定されたままの状態で第二筐体を開閉した場合であっても駆動機構が破損することがない。
【００２２】
また本発明の携帯端末装置は、カムフォロア部材および第二弾性部材を一体に形成している。この構成により、外力によりキーが固定されたままの状態で第二筐体を開閉した場合であっても駆動機構が破損することのない携帯端末装置を簡単な構成で実現できる。
また本発明の携帯端末装置は、第一筐体はキートップシートと、スライドシートを囲う枠部とをさらに備え、キートップシートは、枠部に固着されるように構成している。この構成により、操作部はキートップシートと枠部よる密閉構造となっており、防塵や防水機能を高めることができる。
【００２３】
さらに本発明の携帯端末装置は、第一筐体は、スライドシートに連結したカムフォロア部材を第一筐体の長手方向において連結部側（第一回動軸が配置された側）の方向へ押圧する第一弾性部材を備え、第一弾性部材が押圧する方向において、スライドシートと当接するストッパ手段を備えるよう構成している。
【００２４】
この構成により、第二筐体を開いた状態では、カムフォロア部材は第一弾性部材により連結部側へ押圧され、カムフォロア部材に連結されているスライドシートはストッパに当り停止するので、スライドシートは常に連結部側に付勢されることで透明表示窓に対する位置精度を高めることができる。
【００２５】
また、第二筐体を閉じた状態では、第一回動軸の突起部によりカムフォロア部材は連結部と反対側に押圧され、スライドシートはカムフォロア部材上の第二弾性体を介して押圧される。この時、スライドシートは第一筐体に設けられたストッパにより停止するが、第二弾性部材によって連結部と反対側に付勢されるため、透明表示窓に対する位置精度を高めることが出来る。
【００２６】
また本発明の携帯端末装置は、スライドシートは、第１の方向に第１文字群が印字されるとともに第１の方向と直交する第２の方向に第２文字群が印字され、操作部は、スライドシートの印字面側にキートップシートを備え、キートップシートは、スライドシートがスライドした際に、第１文字群と第２文字群のいずれか一方が、外部から視認可能な透明の表示窓を備え、第一筐体に対して第二筐体が第１の方向に開いた状態では第１文字群が表示窓と重なり、第一筐体に対して第二筐体が第２の方向に開いた状態では第２文字群が表示窓と重なるように構成している。
【００２７】
そして本発明の携帯端末装置は、第１文字群と第２文字群は、互い違いに印字されている。この構成により、第１の筐体に対して第２の筐体を回動した場合に、操作部のキー配列と表示の向きを第２の筐体の表示面に対して正しく切り替えることができる。
【００３０】
また本発明の携帯端末装置は、無線通信手段とテレビ放送受信手段を更に備え、スライドシートには、無線通信用の文字とテレビ受信用の文字を記載し、第一筐体に対して連結部を第二筐体とともに長手方向に開いたときは、無線通信用の文字を表示し、第一筐体に対して第二筐体を短手方向に開いたときは、テレビ受信用の文字を選択的に表示するように構成している。
【００３１】
この構成により、無線通信機能を使用する際には無線通信の文字を、テレビ受信機能を使用する際にはテレビ受信用の文字を正しく表示することができる。
【発明の効果】
【００３２】
本発明によれば、携帯電話機、ゲーム機やテレビ受信機能をもったＰＤＡなど、２つの回動軸を備え第１の方向と第２の方向に開閉可能に構成した折り畳み式携帯端末装置で、第二筐体を折り畳んだ状態から連結部の回動軸を回動させることにより、テンキーなどの操作部に印字された文字を、液晶などの表示器の向きに合わせて変更することができる。
【００３３】
また、切り替えを機械的に行なうため、携帯端末装置に電源が入っていないときに第一筐体に対して第二筐体の表示面を第１の方向あるいは第２の方向に回動させることにより、テンキーなどの操作部に印字された文字を、第２の筐体に備えられた液晶などの表示器の向きに合わせて切り替えることができる。
【００３４】
また、操作部をキートップシートと枠部とプッシャーシートとを固着することで、文字を印字したスライド上にゴミ等が入りにくく、防塵や防水機能に優れている。
【００３５】
そして本発明は、上記構成に加えて、無線通信手段とテレビ放送受信手段を更に備え、スライドシートには、無線通信用の文字とテレビ受信用の文字を記載し、第一筐体に対して連結部を第二筐体とともに第１の方向に開いたときは、無線通信用の文字を表示し、第一筐体に対して第二筐体を第２の方向に開いたときは、テレビ受信用の文字を選択的に表示するように構成している。
【００３６】
この構成により、第１の方向に開いたときは、無線通信用の文字を表示し、第２の方向に開いたときは、テレビ受信用の文字を表示することができる。
【００３７】
さらに、カムフォロア部材を付勢する第一弾性部材と、スライドシートとカムフォロア部材とを接続する第二弾性部材とを備えることにより、文字を表示器の向きにあわせて変更する構成において、手でおさえて閉じた場合など外力によりキーが固定されたままの状態で第二筐体を開閉した場合であっても、駆動機構が破損しない携帯端末装置を実現することができる。
【発明を実施するための最良の形態】
【００３８】
（実施の形態１）
本発明の実施の形態１では、第一筐体に対して第二筐体が第１の方向（筐体の第１の方向）に開かれたか、あるいは第２の方向（筐体の第２の方向）に開かれたかによって、第一筐体と第二筐体を連結している第三の筐体である連結部が、操作部を有する第一筐体に対して開く、あるいは閉じたままであることを利用して課題を解決している。
【００３９】
図１に、本発明の実施の形態１に係る折り畳み式携帯電話機１００の第二筐体２を第１の方向に開いた状態を斜視図として示す。操作部５１のある第一筐体１は、図示しない軸受部で、第一回動軸９を回転可能に支持している。連結部３は軸保持部３ａ、３ｂにより第一回動軸９を連結部３に一体に固定している。
【００４０】
また第一回動軸９には図示しないが後述する突起部１２を固定している。そのため、連結部３と第一回動軸９と突起部１２は一体部品として回転する。連結部３の片隅には、破線で示す第二回動軸１０が第一回動軸９に直交するように設けてあり、第二回動軸１０には第二筐体２が回動自在に取り付けられている。第二筐体２には表示部５２を設けている。
【００４１】
このように、折り畳み式携帯電話機１００では、第二筐体２を第一筐体１に対して第１の方向に開くと、操作部５１のテンキーの数字については、電話機として使えるように、規格で定められた電話機用のテンキー配列で、第１の方向を上下とする向きで表示される。
【００４２】
図２に、本発明の実施の形態１に係る折り畳み式携帯電話機１００の第二筐体２を第２の方向に開いた状態を斜視図として示す。各部分の配置は図１と同じであるが、第二筐体２が閉じた状態から、第二回動軸１０の周りに回動して、第二筐体２が第一筐体１に対して第２の方向に開いている。なお、第一筐体１に対して連結部３は閉じている。
【００４３】
このとき、操作部５１のテンキーの数字については、テレビ受信機として使いやすいように、第一列目は左から「１」、「２」、「３」、「４」と並んでいる。第二列目は左から「５」、「６」、「７」、「８」と並んでいる。そして、第三列目は「９」、「１０」、「１１」、「１２」と並んでいる。数字の向きも筐体の第２の方向を上下とする向きで表示される。
【００４４】
折り畳み式携帯電話機１００では、第二筐体２が第一筐体１に対して第１の方向に開いた場合、第２の方向に開いた場合、それぞれにおいて、後述するスライドシートの移動によって、液晶表示部の表示の向きに適した向きで操作部５１の印字文字が外側から見えるようにしている。以下に、その構成について詳細に説明する。
【００４５】
図３は、操作部５１の要部についての分解斜視図である。図３に示すように、スライドシート１３には、その表面に数字等のキー内容を印刷している。テンキー用の「１」から「１０」までの数字が１４ａ、１４ｂ、１４ｃというように並んで印刷されている。
【００４６】
また、テレビチャンネル用の数字が、１５ａ、１５ｂ、１５ｃというようにテンキー用の数字と交互に並んで印字されている。テンキー用の数字（第１印字群）の向きは第二筐体２の第１の方向を上下とする向きに、テレビチャンネル用の数字（第２印字群）は第２の方向の向きに９０度、角度を変えて印刷されている。
【００４７】
スライドシート１３は、薄いが、座屈しない程度の剛性を有するプラスチックシートでできている。そして、図３に示すように、一端にフォロア取り付け部１３ａを凸状に形成している。
【００４８】
図３のスライドシート１３の周囲には枠部６、裏面側（印字面と反対面）にはプッシャーシート１９を配置している。枠部６は、スライドシート１３の動きを規制するためにスライドシートの周囲を囲むように設けられる。
【００４９】
枠部６の下面には、段差部６ａを設けて枠部６の肉厚を薄くして、上述したスライドシート１３のフォロア取り付け部１３ａが通るようにしている。枠部６の下面には、キーのクリック感を向上させるためにプッシャーシート１９を貼着して固定する。
【００５０】
なお、段差６ａは必ずしも形成する必要はなく、６ａ部を開口部として、枠部６の一部を開口するよう形成して、薄型化を図ってもよい。
【００５１】
スライドシート１３は、枠部６の下面にプッシャーシート１９を貼着して固定した状態で、プッシャーシート１９の上に置き、スライドシート１３の一端に形成したフォロア取り付け部１３ａを枠部の段差部６ａとプッシャーシート１９との隙間に通して、フォロア取り付け部１３ａにスライドシート取付板１８を固定する。図４に、この状態の斜視図を示し、図５に断面図を示す。
【００５２】
図３に戻って、スライドシート１３の表面側には、プラスチック部材等で構成されたキートップシート１６が重ねられる。キートップシート１６は、スライドシート１３のうち第１印字群あるいは第２印字群のみの印刷が見えるよう、１つの印字群の印字の大きさおよび印字間隔で表示窓１６ａを構成し、残り部分１６ｂを不透明に構成している。
【００５３】
キートップシート１６は、枠部６の上面に貼着され固定される。キートップシート１６と枠部６とプッシャーシート１９により密閉された空間の中で、スライドシート１３がスライドする。
【００５４】
カムフォロア部材７は後述するように、図３では図示しない第一回動軸９に取付けられる突起部１２に対し、第一回動軸９が所定角度以上になると追従して動く。したがって、第二の圧縮バネ１７（第二弾性部材）を介して、カムフォロア部材７と接続されたスライドシート１３は、枠部６とプッシャーシート１９とキートップシート１６で形成された空間内で、第一回動軸９の回動に追従してスライドする。
【００５５】
図３において、枠部６とプッシャーシート１９の下方には、ダイヤフラム５と、キー回路基板４が配置される。ダイヤフラム５はスライドシート１３に印刷された数字および文字よりも少ない数だけ配置されている。
【００５６】
ダイヤフラム５は上から押されると中央部がへこんで、中央部と重なり合う位置に設けた接点がキー回路基板４上のキー用接点回路と接して電気的に導通させて、押されたことを感知するようにしている。
【００５７】
図６（ａ）に、本発明の実施の形態１に係る折り畳み式携帯電話機１００の第二筐体２を第１の方向に開いた状態から９０度の位置までＤ方向へ向かって閉じたときの状態を部分断面図として示す。
【００５８】
第一筐体１にバネ保持部８が設けられていて、第一の圧縮バネ１１(第一弾性部材)をバネ保持部８で支え、スライドシート１３に第二の圧縮バネ１７を介して接続したカムフォロア部材７の端面を第一回動軸９に固定してある突起部１２で押すようにしている。
【００５９】
第一の圧縮バネ１１の力でスライドシート１３は図面左方向に動こうとする。ここで第一筐体の一部に、カムフォロア部材７の図面左方向の動きを止めるストッパを突出させてもよい。
【００６０】
これによりスライドシート１３はストッパにより決まった位置で停止するので、カムフォロア部材７に第二の圧縮バネ１７を介して接続されたスライドシート１３と、キートップシート１６に設けられた表示窓１６ａとの位置合わせの精度がよくなる。
【００６１】
突起部１２は、第一回動軸９の回転に連動して回転するように設けられている。突起部１２は、スライドシート１３に接続したカムフォロア部材７の先端に当たり、第一回動軸９が回転すると、スライドシート１３をスライド移動させる。
【００６２】
図６（ａ）の状態ではカムフォロア部材７が突起部１２に接触していなかったが、第二筐体２を第１方向に回転させて閉じていくことにより突起部１２に接触する。
【００６３】
ここまでは、カムフォロア部材７が突起部１２に接触していないためスライドシートの移動はなく、携帯電話機としての通話や電子メールの閲覧に適した通常の文字表記がされた状態を保つことができる。
【００６４】
図６（ｂ）に、第二筐体２を第１の方向に所定角度から閉じる方向に動かしたときの状態を示す。第一筐体１を断面で示している。
【００６５】
連結部３は第二筐体２とともに、第一筐体１に対してF矢印のように第１方向を閉じる方向に動く。連結部３が閉じていくと、連結部３と一体に固定されている第一回動軸９もF矢印の方に回転する。第一回動軸９が回転すると突起部１２も連動して回転し始める。突起部１２がF矢印の方に回転すると、カムフォロア部材７を図面右方向、Ｅ矢印の方向に移動させる。
【００６６】
これにより、使用者は、第二筐体を閉じる動作を行うことにより  第一筐体に設けられたスライドシートが動いているにもかかわらず、第２の筐体にさえぎられることにより実際に文字が変わっていくことを意識せずに行うことができる。
【００６７】
カムフォロア部材７の移動量は、第一筐体１の隣り合う窓１ａの１ピッチの半分にしている。すなわち、１ピッチを「Ｐ」とすると、カムフォロア部材７は、「Ｐ／２」だけ右に移動し、カムフォロア部材７が固定されているスライドシート１３も「Ｐ／２」だけ右に移動する。
【００６８】
本発明の折り畳み式携帯電話機１００では、第二筐体２を第１の方向に所定角度まで閉じたときに突起部１２によるカムフォロア部材７の移動が開始する。その結果、第二筐体２を第１の方向に９０度閉じるまでは、操作部５１のキー配列と表示の向きは、変化することなく、第二筐体２を第１の方向に閉じはじめると切り替わり始め、完全に閉じられた時には文字の切り替えが完了している。
【００６９】
本実施の形態１では第二筐体２を第１の方向に９０度以下まで閉じたときにキー配列と表示の向きの切り替えが始まる例を説明したが、角度は９０度に限らない。
【００７０】
図７に、第二筐体２を第１の方向に開ききったときの折り畳み式携帯電話機１００の平面図を示す。第二筐体２が連結部３とともに開いているので、操作ボタンについては第一筐体１の透明な窓１ａから数字を見ることができる。
【００７１】
図７では、電話機用として文字の向きの上から第一段目に「１」、「２」、「３」と並んでいるのが見える。第二段目に「４」、「５」、「６」と並んでいる。そして、第三段目に「７」、「８」、「９」と並んでいる。第四段目に「＊」、「０」、「＃」が並んでいる。このことにより、折り畳み式携帯電話機１００の表示部５２を縦長にしたときには、電話機の数字配置としてテンキーボタンを迷うことなく押すことができる。
【００７２】
図８は第二筐体２を連結部３とともに第一筐体１に対して閉じたときの状態を示し、第一筐体１の中を断面で示している。第一筐体１の中には、図示しない支持部によって固定された回路基板４があり、回路基板４の上にはダイヤフラム５が、スライドシート１３に印刷された数字および文字よりも少ない数だけ配置されている。
【００７３】
ダイヤフラム５の上にはプッシャーシート１９が固定されている。図面では、枠部６とプッシャーシート１９の断面形状がはっきりと見えるように、誇張して描いているが、全体の実際の厚さは薄く、プッシャーシート１９を上方から押すと、たわんで、直下のダイヤフラム５の中央部をへこませるようにしている。  
【００７４】
図９（ａ）に、第二筐体２を第２の方向に開いたときの状態を示す。なお、第一筐体１を断面で示している。連結部３は第一筐体１に対して閉じたままであるが、第二筐体２が第二回動軸１０の周りに回転し、表示部５２が見える。
【００７５】
ここで、連結部３が第一筐体１に対して閉じたままであるため、第一回動軸９は回転しない。つまり、突起部１２は回転せず、スライドシート１３の位置は、図６の第二筐体２を閉じたときと同じである。
【００７６】
図９（ｂ）に、第二筐体２を第２の方向に開いたときの折り畳み式携帯電話機１００の平面図を示す。第二筐体２が開いているので、操作ボタンについては第一筐体１の表示窓１ａから数字を見ることができる。
【００７７】
図９（ｂ）では、テレビチャンネル用の「１」から「１２」までの数字が、文字の向きの上から第一段目に「１」、「２」、「３」、「４」と並んでいるのが見える。第二段目に「５」、「６」、「７」、「８」と並んでいる。そして、第三段目に「９」、「１０」、「１１」、「１２」と並んでいる。
【００７８】
このことにより、折り畳み式携帯電話機１００の表示部５２をテレビ放送を見るために横長にしたときに、「１」から「１２」までのチャンネルのどれかを迷うことなく押すことができる。
【００７９】
次に、第二筐体２の開閉動作に伴う突起部１２とスライドシート１３との動きについて図１０と図１１を用いて詳細に説明する。
【００８０】
第二筐体２を第１の方向に開いた図１０の状態では、カムフォロア部材７は第一筐体１に設けられた第一の圧縮バネ１１の弾性力により図面左側に付勢されている。この時、スライドシート１３はカムフォロア部材７とスライドシート取付板１８で当たるため、第一の圧縮バネ１１の力が伝達され、図面左側に付勢される。これにより、スライドシートは第一筐体１に設けられたストッパ２０に押し当てられる。
【００８１】
この構成により、スライドシートの位置がふらつかず、透明表示窓に対する位置精度を高めることができる。次に、図１０の状態から第二筐体２を第１の方向に閉じていっても、突起部１２がカムフォロア部材７に接触する図１１（ａ）の状態までは、カムフォロア部材７が突起部１２押されないので、カムフォロア部材７に第二の圧縮バネ１７を介して接続されたスライドシート１３も動かない。
【００８２】
図１１（ａ）の状態からさらに第二筐体２を第１の方向に閉じていくと突起部１２がカムフォロア部材７を押すことにより、カムフォロア部材７が突起部１２に押され右方向に移動する。ここで、第二の圧縮バネ１７の弾性力はスライドシート１３が動く力より大きく設定されているので、スライドシート１３が図面右方向に移動する（図１１（ｂ）)。
【００８３】
図１１（ｂ）の状態からさらに第二筐体２を第１の方向に閉じていくとスライドシート１３がさらに図面右方向に移動し、第一筐体１に設けられたストッパ２０に当たり止まる（図１１（ｃ）)。
【００８４】
図１１（ｃ）の状態からさらに第二筐体２を第１の方向に閉じていった場合には、カムフォロア部材７が突起部１２によってさらに押される。ここで、第二の圧縮バネ１７の弾性力はスライドシート１３がストッパ２０によって固定される力より小さく設定されているので、第二の圧縮バネ１７が収縮してダンパの役割を果たしスライドシート１３はストッパ２０に当ったままで移動しない（図１１（ｄ）)。
【００８５】
また第二筐体２を第１の方向に閉じた図１１（ｄ）の状態では、第二の圧縮バネ１７の弾性力によりスライドシート１３が図面右方向に付勢されているので、表示窓に対する位置精度を高めることができる。
【００８６】
図１２に、手でおさえて閉じた場合など外力によりキーが動かないままの状態で第二筐体２を第１の方向に閉じた場合の保護機能について示す。
【００８７】
図１２（ａ）に示すようにスライドシート１３が固定されたままカムフォロア部材７が図面右方向に移動しても第二の圧縮バネ１７によりカムフォロア部材７がスライドシート１３を押す力を吸収しダンパの働きをしてスライドシート１３の変形や駆動機構の破損を防止する。
【００８８】
この場合、外力が除去されたときには図１２（ｂ）に示すように第二の圧縮バネ１７の弾性力によりスライドシート１３が図面右方向に移動し正規の位置に戻る。
【００８９】
次に図１３に、手でおさえて閉じた場合など外力によりキーが動かないままの状態で第二筐体２を閉じた状態から第１の方向に開いた場合の保護機能について示す。
【００９０】
図１３（ａ）に示すようにスライドシート１３が固定された状態で開く場合、突起部１２はカムフォロア部材７を押す方向とは反対方向に回動するため、第一回動軸９はスライドシート１３と連動せずに独立して回動し、スライドシート１３が変形したり駆動機構が破損することはない。
【００９１】
そして外力が除去された場合には図１３（ｂ）に示すように第一の圧縮バネ１１の弾性力によりスライドシート１３が図面左方向に移動し正規の位置に戻る。
【００９２】
以上実施の形態１では、突起部１２の動きを伝える構成としてカムフォロア部材７と圧縮バネとを別々に構成した例を説明したが、樹脂性の蛇腹のような弾性機能を有する成型品やゴム部材、エアークッション，スポンジ等の一体に形成された弾性体であってもよい。
【００９３】
一体に形成することにより簡単な構成で、外力によりキーが固定されたままの状態で第二筐体を開閉した場合であっても駆動機構が破損することのない携帯端末装置を実現できる。
【００９４】
また、第一回動軸９に突起部１２を固定した場合について説明したが、第一回動軸９の回転が突起部１２に連動して伝わる構造であれば他の構造を用いてもよい。例えば、第一回動軸９と突起部１２の軸の間に別の軸を設け第一回動軸９と突起部１２を連動させてもよい。このことにより突起部の軸の位置を任意に設定することができる。
【００９５】
また、スライドシートの位置を決めるストッパ２０を第一筐体１に形成した場合について説明したが、図１４（ａ）に示すように第一筐体１と別体で構成してもよく、例えば図１４（ｂ）に示すように、枠部６の内側にストッパを形成しても位置決めするようにしてもよい。
【００９６】
また、第一筐体１に対して、第二筐体２を閉じたときに突起部１２がカムフォロア部材７を押す場合について説明したが、これとは逆に、第二筐体２を開くときに突起部１２がカムフォロア部材７を押すように構成してもよい。
【００９７】
この場合図１５（ａ）に示すように、閉じたときに第一弾性部材１１が長手方向において連結部側と反対側にカムフォロア部材７を付勢することにより、スライドシート１３は連結部側と反対側に移動する。
【００９８】
また、開いたときは図１５（ｂ）に示すように、第一弾性部材１１は、カムフォロア部材７に押されて連結部側へ圧縮される。
【００９９】
また、第三の筐体である連結部３が第一筐体１に対して回転する動きを突起部１２の動きとして、カムフォロア部材７と接続したスライドシート１３をスライドさせて、機械的に操作部の表示内容と表示する向きを切り替えている。
【０１００】
そのため、携帯端末装置に電源が入っていなくても、確実に操作部の表示内容と表示する向きを切り替えることができる。
【０１０１】
また、携帯端末装置の一つであるテレビ受信手段をもつ携帯電話機について説明したが、ゲーム機能付き携帯電話機において、第２の方向に開いたときにはゲーム機として使えるようにゲーム用のキー配列に切り替えるようにしても良い。その他、二つの異なる方向に表示された文字については、互い違いに配置しても良い。
【０１０２】
また、第２筐体を第１筐体に対して第２の方向に開いた場合に  表示された文字の配列として、第一段目に「１」、「２」、「３」、「４」と並んでいるのが見える。第二段目に「５」、「６」、「７」、「８」と並んでいる。
【０１０３】
そして、第三段目に「９」、「１０」、「１１」、「１２」と並べたが、メールなどの入力に対して  違和感なく行うためには、文字の向きを上から第一段目に「１」、「２」、「３」  第二段目に、「４」、「５」、「６」、第三段目に、「７」、「８」、「９」と並べてもよい。  
【０１０４】
（実施の形態２）
図１６に、本発明の実施の形態２に係る折り畳み式携帯電話機のスライドシート関連部分の斜視図を示す。図１６では、第一筐体１には保持部２１が設けられており、第一のねじりコイルバネ２２をバネ保持部２１で支え、スライドシート１３に第二のねじりコイルバネ２３を介して接続したカムフォロア部材２７の端面を図示しない第一回動軸９に固定してある突起部１２で押すようにしている。
【０１０５】
また図１７に、本発明の実施の形態２に係る折り畳み式携帯電話機のスライドシート関連部分の断面図を示す。
【０１０６】
実施の形態２の構成は、第一および第二のバネの種類を圧縮バネに替えてねじりコイルバネとしたことが異なるのみで他の構成は実施の形態１と同様である。
【０１０７】
圧縮バネをねじりコイルバネに変更したことにより、圧縮バネで構成した場合に比べカムフォロア部の構造を薄くすることができ、折り畳み式携帯電話機の薄型化、小型化が図れる。
【産業上の利用可能性】
【０１０８】
本発明は、折り畳み式携帯電話機に限らず、表示画面を縦横に切り替えて使用するゲーム機や、テレビ受信機能を持ったＰＤＡなどにおいて、２つの回動軸を備え第１の方向と第２の方向に開閉可能に連結した折り畳み式携帯端末装置に適用できる。
【図面の簡単な説明】
【０１０９】
【図１】本発明の実施の形態１に係る携帯電話機の筐体を第１の方向に開いた状態を示す斜視図
【図２】本発明の実施の形態１に係る携帯電話機の筐体を第２の方向に開いた状態を示す斜視図
【図３】本発明の実施の形態１に係る携帯電話機の操作部の要部についての分解斜視図
【図４】本発明の実施の形態１のスライドシート関連部分の構造を示す斜視図
【図５】本発明の実施の形態１のスライドシート関連部分の構造を示す部分断面図
【図６】（ａ）本発明の実施の形態１に係る携帯電話機の筐体を第１の方向に開いた状態を示す部分断面図（ｂ）本発明の実施の形態１に係る携帯電話機の筐体を第１の方向に開いた状態を示す部分断面図
【図７】本発明の実施の形態１に係る携帯電話機の筐体を第１の方向に開いた状態を示す平面図
【図８】本発明の実施の形態１に係る携帯電話機を閉じたときの部分断面図
【図９】（ａ）本発明の実施の形態１に係る携帯電話機の筐体を第２の方向に開いた状態を示す部分断面図（ｂ）本発明の実施の形態１に係る携帯電話機の筐体を第２の方向に開いた状態を示す平面図
【図１０】本発明の実施の形態１に係る携帯電話機の筐体を第１の方向に開いた状態のスライド機構の詳細を示す断面図
【図１１】本発明の実施の形態１に係る携帯電話機の筐体を第１の方向に閉じる動作に伴うスライドシートの動きについて詳細に示す断面図
【図１２】本発明の実施の形態１においてキーが動かないままの状態で第二筐体２を第１の方向に閉じた場合の保護機能について示す断面図
【図１３】本発明の実施の形態１においてキーが動かないままの状態で第二筐体２を閉じた状態から第１の方向に開いた場合の保護機能について示す断面図
【図１４】本発明の実施の形態１においてスライドシートの位置を決めるストッパを第一筐体１と別体とした構成について示す断面図
【図１５】本発明の実施の形態１において第二筐体を開くときに突起部がカムフォロア部材７を押すような構成とした場合の断面図
【図１６】本発明の実施の形態２のスライドシート関連部分の構造を示す斜視図
【図１７】本発明の実施の形態２のスライドシート関連部分の構造を示す部分断面図
【図１８】従来の携帯電話機の第二筐体を第１の方向に開いた状態を示す斜視図
【図１９】従来の携帯電話機の第二筐体を第２の方向に開いた状態を示す斜視図
【図２０】従来の電子機器の平面図
【図２１】従来の電子機器の部分断面図
【符号の説明】
【０１１０】
１    第一筐体
２    第二筐体     
３    連結部
４    回路基板
５    ダイヤフラム
６    枠部
７    カムフォロア部材
８    バネ保持部
９    第一回動軸
１０    第二回動軸
１１    第一の圧縮バネ(第一弾性部材)
１２    突起部
１３    スライドシート
１６    キートップシート
１７    第二の圧縮バネ（第二弾性部材）
１８    スライドシート取付板
１９    プッシャーシート
２０    ストッパ
２２    第一のねじりコイルバネ 
２３    第二のねじりコイルバネ 
５１    操作部
【要約】
【課題】第一筐体に対して第二筐体を第１の方向と第２の方向に開閉可能な携帯端末装置において、操作部の表示の向きを表示部の画面にあわせて変えることができる。
【解決手段】操作部を備えた第一筐体1と表示部を備えた第二筐体２を、連結部３を介して連結した携帯端末装置において、連結部３は第二筐体２を第一方向に回動可能とする第一回動軸９と、第一方向と直交する第二方向に回動可能とする第二回動軸１０とを備え、第一回動軸９は突起部１２を備え、第一筐体１は、キートップシート１６と、スライドシート１３と、スライドシートを囲う枠部６と、カムフォロア部材７と、カムフォロア部材７を付勢する第一弾性部材１１と、スライドシート１３とカムフォロア部材７とを接続する第二弾性部材１７とを備え、第一回動軸９が回動すると、突起部１２がカムフォロア部材７および第２弾性部材１７を押圧し、スライドシート１３が移動するように構成した。
【選択図】図６【図１】
0004237814.tif 000002
【図２】
0004237814.tif 000003
【図３】
0004237814.tif 000004
【図４】
0004237814.tif 000005
【図５】
0004237814.tif 000006
【図６】
0004237814.tif 000007
【図７】
0004237814.tif 000008
【図８】
0004237814.tif 000009
【図９】
0004237814.tif 000010
【図１０】
0004237814.tif 000011
【図１１】
0004237814.tif 000012
【図１２】
0004237814.tif 000013
【図１３】
0004237814.tif 000014
【図１４】
0004237814.tif 000015
【図１５】
0004237814.tif 000016
【図１６】
0004237814.tif 000017
【図１７】
0004237814.tif 000018
【図１８】
0004237814.tif 000019
【図１９】
0004237814.tif 000020
【図２０】
0004237814.tif 000021
【図２１】
0004237814.tif 000022